(57)【特許請求の範囲】
【請求項１】
シンク又は洗面ボウルの底部に形成した凹部に収容されるストレーナであって、
複数の穴を備え皿状に形成された受け部と、
前記受け部の周縁に設けられ前記凹部に当接する上部外縁部と、
前記受け部の下面に設けられた脚部と、を備え、
前記脚部が、前記排水管の端部に形成された排水口の内周壁面を当該排水口の中心まわりに等角度間隔で３つ以上に区分した各領域に当接できるよう形成され、
前記脚部が、前記内周壁面に沿って弧状に形成された少なくとも２箇所の当接部を有し、
前記脚部が、前記排水口に遊嵌しており、
前記２箇所の当接部のそれぞれ一端部が、排水口の中心を基準点として点対称に形成される連結部によってつながれており、  前記脚部が、前記当接部によって、前記各領域に当接して使用されることを特徴とする、ストレーナ。
【請求項２】
前記脚部が、針金状部材を折り曲げて形成されている、請求項１に記載のストレーナ。
【発明の詳細な説明】
【技術分野】
【０００１】
本発明は、シンクや洗面ボウルにおける排水口の上に設けられ、排水口を経て排水トラップへゴミが流入することを防ぐストレーナに関する。
【背景技術】
【０００２】
図７は、従来のシンクの排水構造１００の断面図であり、排水口周辺だけを表している。従来のシンクの排水構造１００は、シンク１１０の底部１１１に形成された開口１１２に排水管１２０が接続され、その下流には、屋内へ悪臭、ガス、害虫などの浸入を防止する排水トラップが接続されている。排水管１２０の端部にはフランジ１２１が形成されており、このフランジ１２１と排水管１２０の端部寄りに着脱自在に装着されたリング状の固定部材１３０とでシンク１１０の開口１１２の周縁部分を挟んで、排水管１２０をシンク１１０に固定している。シンク１１０とフランジ１２１との間にはパッキン１４０が装着される。なお、図示例では、排水管の端部周辺だけを表し、害虫などの侵入を防止する機能を果たす排水トラップの表示を省略している。シンクも開口周辺だけを部分的に表している。
【０００３】
排水トラップ１２０の端部に形成された排水口１２２の内周壁面１２３には、目皿１５０が着脱自在に固定されており、排水口１２２から排水管１２０へスプーンや箸などの落下を防止する。
【０００４】
さらに、図に示すように、シンク１１０の開口周辺領域は底部１１１よりさらに深くなるよう凹陥して形成され、この窪んだ領域（以下、凹部１１３と呼ぶ。）に、排水管１２０へ残飯などのゴミが流れ込むことを防止するストレーナ１６０が収容されている。
【０００５】
ストレーナ１６０は、複数の開口を有し皿状に形成された受け部１６１と、受け部１６１の環状の上縁の全周に亘って設けられた鍔部１６２と、受け部１６１の下面から下方へ突出する脚部１６３と、を備えている。
【０００６】
図に示すように、ストレーナ１６０は、脚部１６３を凹部１１３の底に載せ、鍔部１６２を凹部１１３の湾曲面に当接させた状態で用いられる。食器類を洗浄した際に流れ落ちる残飯などのゴミがシンク１１０の底部１１１から凹部１１３に流れ込むと、ストレーナ１６０によって当該残飯が捕集される。
【０００７】
このように、シンク１１０の底部１１１に形成された凹部１１３内に載置して残飯などのゴミを捕集するストレーナが、特許文献１に開示されている。
【先行技術文献】
【特許文献】
【０００８】
【特許文献１】特開２００８−２７４５９８号公報
【発明の開示】
【発明が解決しようとする課題】
【０００９】
しかしながら、従来のストレーナ１６０は、例えば洗い桶に溜めた水を一度に流し、その水がシンク奥側の受け部１６１の端部（図７で符号αで示す破線の円の領域）に局所的に流れ込むと、その水の勢いで、ストレーナ１６０が図７に二点鎖線で示すように本来の使用位置から大きくずれる虞がある。この場合、ストレーナ１６０の鍔部１６２とシンク１１０の凹部１１３との間に隙間Ｓが生じ、食器などの洗浄の際に流れ落ちた残飯などのゴミが、矢印Ａで示すように、隙間Ｓから凹部１１３の湾曲面を辿って直接排水口１２２に流れ込んでしまう。これでは、ストレーナ１６０がその役割を果たすことができない。
【００１０】
本発明は、上記問題点に鑑みてなされたものであり、排水口へ向けて流れ込む水によってゴミを捕集する受け部の位置が大きくずれて、受け部の上縁と凹部との間にゴミが流れ込んでしまう隙間が発生することを防止できるストレーナを提供することを目的とする。ここで、ゴミが流れ込んでしまう隙間とは、ストレーナに設けられる穴の直径よりも大きい隙間をいう。
【課題を解決するための手段】
【００１１】
上記目的を達成するため、本発明は、シンク又は洗面ボウルの底部に形成した凹部に収容され、凹部に形成した開口に接続された排水管へゴミが流入することを防ぐストレーナであって、複数の穴を備え皿状に形成された受け部と、受け部の周縁に設けられ凹部に当接する上部外縁部と、受け部の下面に設けられた脚部と、を備え、凹部に流れ込む水の勢いによって上部外縁部と凹部との間にゴミが流れ込んでしまう隙間が上部外縁部の周りの何れの箇所にも発生しないよう、脚部が排水管の端部に形成した排水口の内周壁面に当接できることを特徴としている。
【００１２】
本発明のストレーナにおいて、脚部は、前記排水口の内周壁面を当該排水口の中心まわりに等角度間隔で３つ以上に区分した各領域で内周壁面に当接できるよう形成されている。例えば、脚部は、内周壁面に当接できる下記（ａ１）〜（ａ４）の何れかの当接部を備えている。
（ａ１）円又は円の一部を欠いたＣ字型の環状に形成された当接部。
（ａ２）弧状に形成された少なくとも２箇所の当接部。
（ａ３）前記内周壁面に点接触或いは線接触する少なくとも３箇所の当接部。
（ａ４）弧状に形成された第１の当接部と前記内周壁面に点接触或いは線接触する第２の当接部。
ここでいう、内周壁面に当接できる当接部とは、通常内周壁面に当接していない部位であっても受け部がずれることによって内周壁面に当接する部位も含まれるものとする。また、排水口とは、シンクまたは洗面ボウルの凹部に形成した開口部に接続された排水管の流入側開口部およびその近傍の排水路をいう。
【発明の効果】
【００１３】
本発明によれば、例えば洗い桶に溜めた水を一度に流したときの水の勢いで受け部が所定の位置から大きくずれることを抑制できる。これにより、受け部とシンクの凹部との間に生じる隙間から残飯などのゴミが排水口へ流れ込むことを防止できる。
【図面の簡単な説明】
【００１４】
【図１】本発明の実施形態に係るシンク排水構造の平面図である。
【図２】図１のＡ−Ａ線に沿ったシンク排水構造の断面図である。
【図３】（Ａ）は本発明の実施形態に係るストレーナの正面図、（Ｂ）はストレーナの平面図、（Ｃ）はストレーナの底面図、（Ｄ）はストレーナの左側面図、（Ｅ）は図３（Ｂ）のＣ−Ｃ線に沿ったストレーナの断面図である。
【図４】（Ａ）及び（Ｂ）は本発明の実施形態に係るストレーナの脚部と排水口の内周壁面との係合関係を説明するための図である。
【図５】本発明の実施形態に係るストレーナの機能を説明するためのシンクの開口の周辺の平面図である。
【図６】（Ａ）〜（Ｋ）は本発明の実施形態の変形例に係るストレーナの脚部の構造を示す図である。
【図７】従来のシンク排水構造の断面図である。
【発明を実施するための形態】
【００１５】
以下、図面を参照して本発明を実施形態に基づいて説明する。
図１は本発明の実施形態に係る排水構造１の平面図であり、図２は図１のＡ−Ａ線に沿った排水構造１の断面図である。なお、図面及び説明中、上下方向及び水平方向とは、ストレーナを排水口上に設置した状態における排水構造を基準とした上下方向及び水平方向である。また、シンク手前側はシンク使用者の正面と対向する方向とし、シンク奥側はシンク使用者の正面方向、左右方向はシンク使用者の左右方向とする。
【００１６】
排水構造１は、シンク１０の底部１１を凹設して形成された凹部１２と、凹部１２の最深部に開設された開口１３に端部を接続された排水管２０と、排水管２０の端部に形成された排水口２１と、排水口２１に取り付けられる目皿３０と、凹部１２に収容されるストレーナ４０と、ストレーナ４０上に配置され凹部１２を部分的に覆う蓋５０と、を備えている。図１では、ストレーナ４０を破線で、蓋５０を二点鎖線で表している。図２はシンク１０の排水口２１周辺だけを表している。
【００１７】
凹部１２は、図１に示すように、表面形状が平面視で回転非対称である。具体的には、凹部１２の外縁は直線状の辺部１２Ａとこの辺部１２Ａの両端を結ぶ円弧部１２Ｂとから略Ｄ字状に形成されている。このような外縁を成す凹部１２の縁部１４とそれより下方に配置される開口１３との間の部分は図２に示すように曲面１５を成して、凹部１２は椀型に形成されている。ここでいう、凹部１２の縁部１４とは、平面視したときの凹部の外縁であって、断面視したときの上縁を指す。
【００１８】
凹部１２の縁部１４とシンク１０の底部１１とは、断面形状が略円弧状に形成された境界部１６を介してつながっている。例えば、シンク１０の底部１１と凹部１２とは一体に製造される。
【００１９】
凹部１２の開口１３の周縁には、後述する排水管２０のフランジ２２を配置するために平坦に形成されたフランジ当接部１７を有する。
【００２０】
排水管２０はシンク１０側に取り付ける端部にフランジ２２を有する。このフランジ２２を凹部１２のフランジ当接部１７に当て、さらに反対側から排水管２０の端部寄りに装着したリング状の固定部材２５とで開口１３の周縁部分を挟むことで、排水管２０がシンク１０に固定される。シンク１０とフランジ２２との間にはパッキン６０が装着される。排水管２０の端部には、洗浄時などに使用した水を流し込む排水口２１が形成されている。なお、図示例では排水管２０の端部周辺だけを表し、害虫、悪臭などの屋内への侵入防止機能を果たす排水トラップの表示を省略している。
【００２１】
排水管２０の端部に形成された排水口２１の内周壁面２３には、目皿３０が着脱自在に取り付けられる。具体的には、排水管２０の内周壁面２３には、端部寄りの壁面に段部２４が形成されており、この段部２４に目皿３０が載置される。この目皿３０によって、ストレーナ４０を凹部１２から外して、凹部１２を清掃するときに、排水口２１から排水管２０内へ清掃用具などが落下することを防止する。
【００２２】
蓋５０は、図１に示すように、平面視においてその外形が、直線状の第１辺部５０Ａと、この第１辺部５０Ａの両端に接続された第１円弧部５０Ｂ及び第２円弧部５０Ｃと、これらの第１円弧部５０Ｂ及び第２円弧部５０Ｃの各端部に接続された略直線状の第２辺部５０Ｄと、から構成されている。ここで、図１に示すように、第１辺部５０Ａ，第１円弧部５０Ｂ及び第２円弧部５０Ｃはシンク１０の凹部１２の外形に沿っているが、第２辺部５０Ｄはシンク１０の凹部１２の外形に沿うようには形成されていない。また、第２辺部５０Ｄは、第１円弧部５０Ｂの端と第２円弧部５０Ｃの端とを結ぶが、その中間部が内側に入り込むように形成されている。このように、蓋５０の第２辺部５０Ｄとシンク１０の凹部１２の円弧部１２Ｂとが異なる形に構成されているため、それらの間に隙間、つまりシンク１０の底部１１から凹部１２内へ水が流れ込むことができる流入部７０が画成される。この流入部７０は、シンク１０の底部１１の奥側に画成される。凹部１２の辺部１２Ａは、流入部７０よりシンク手前側に配置される。
【００２３】
図３に示すように、ストレーナ４０は、複数の穴４１を備えゴミ捕集部として機能する受け部４２と、受け部４２の下面に設けられた脚部４５と、を備えている。また、受け部４２の周縁には、上部外縁部が設けられている。本実施形態では鍔部４４が設けられている。なお、図において受け部４２を貫通する穴４１を一部のみ示し、他の部分については図示省略しているが、実際には受け部４２の全面に穴４１が設けられている。
【００２４】
受け部４２は、薄いステンレス板に複数の穴４１を穿設し、これを例えばシンク１０の凹部１２に比べて底の浅い皿状に加工したもので成る。受け部４２は、図３（Ｂ）に示すように、シンクの凹部と同様に、全体として凹部１２に沿った回転非対称な平面視形状、つまり直線状の辺部４２Ａと、この辺部４２Ａの両端を結ぶ円弧部４２Ｂとからなる略Ｄ字状の外縁形状を有する。この受け部４２の外形は、凹部１２の外形よりも小さくなるように寸法が選定されている。穴４１は、直径１．４ｍｍ程度の穴が中心間隔１．８ｍｍ程度の間隔をあけて穿設される。この穴４１を通過して受け部４２の上方から流れ込んだ水が受け部４２の下方へ流れ出る。
【００２５】
上部外縁部としての鍔部４４は、受け部４２の平面視略Ｄ字状の周縁部４３を包み込むように例えば樹脂で形成されている。ストレーナ４０がシンク１０の凹部１２に収容された状態で、鍔部４４全体が凹部１２の曲面１５に隙間を生じないように当接する。
【００２６】
鍔部４４は、図３（Ｂ）に示すように、受け部４２の中央側へ突出した把手４４Ａを備える。把手４４Ａは、図１及び図２に示すように、流入部７０と反対側の蓋５０で覆われる領域に配置される。このように、流入部７０とは異なる位置に把手４４Ａを設けることで、排水口２１へ向けて流れ込む水との接触を回避して、ゴミの付着を防止できる。
【００２７】
脚部４５は、排水管２０の上縁部に形成された排水口２１の内周壁面２３に当接して受け部４２の姿勢を規制、つまり所定の位置から大きくずれることを規制する。脚部４５は例えば一本の針金状部材を折り曲げて形成される。具体的には、脚部４５は、受け部４２の下面に接着或いは溶接される一対の取付部４５Ａ（図３（Ｂ）及び図３（Ｄ））と、各取付部４５Ａの端部から下方へ延出した鉛直部４５Ｂ（図３（Ａ）及び図３（Ｄ））と、一対の鉛直部４５Ｂの下端部同士に接続する弧状の当接部４５Ｃ（図３（Ａ）及び図３（Ｃ））と、から構成されている。当接部４５Ｃの形状は、排水口２１の内周壁面２３に沿った形状である。なお、複数本の針金状部材を用いて脚部４５を構成してもよいことは勿論である。
【００２８】
ここで、図４（Ａ）は本発明の実施形態に係るストレーナ４０の脚部４５と排水口２１の内周壁面２３との係合関係を説明する図である。図中の二点鎖線の円は排水口２１の内周壁面２３、具体的には図２のＢ−Ｂ線に沿った排水口２１の内周壁面２３の概略断面を表している。
【００２９】
説明の便宜上、図４（Ａ）に示すようにＸ軸とＹ軸を設定する。ここで、Ｘ軸はシンク１０の左側から右側へ向けて水平に延びる軸であり、Ｙ軸はシンク１０の手前側から奥側へ向けて水平に延びる軸である。これらの軸の原点Ｏを排水口の中心Ｃとする。このＸＹ平面で中心Ｃ周りの角度θに関して、θが０度〜９０度の領域を第１象限、９０度〜１８０度の領域を第２象限、１８０度〜２７０度の領域を第３象限、２７０度〜３６０度の領域を第４象限とする。このように、排水口２１の中心Ｃまわりに９０度間隔に領域を４つに区分した場合、脚部４５は各領域、つまり第１象限〜第４象限で排水口２１の内周壁面２３に当たるように構成される。図４（Ａ）では、説明の便宜上、内周壁面２３に当たる脚部４５の当接部４５Ｃを黒丸（●）のマークで表している。
【００３０】
脚部４５は排水口２１に遊嵌している。つまり、ストレーナ４０の使用時、脚部４５が排水口２１内で若干動くことができるように、脚部４５と内周壁面２３との間には僅かなクリアランスが設定されている。
【００３１】
この脚部４５を下側に配設した受け部４２が、例えば洗い桶に溜めた水を一度に流したときの水の勢いで所定の位置、つまり適正な使用位置から大きくずれることを規制するように、各第１象限〜第４象限で当接部４５Ｃが内周壁面２３に接する位置や当接部４５Ｃの形状が選定される。
【００３２】
なお、上記で説明したように蓋５０をシンク１０の凹部１２にセットした状態では水が流入部７０から凹部１２内へ流れ込み、受け部４２のシンク奥側の端部に水流の力が作用する場合に限らず、蓋５０を外した状態などで図５に示すように、受け部４２のシンク左側の端部領域Ｈ１、受け部４２のシンク手前側の端部領域Ｈ２及び受け部４２のシンク右側の端部領域Ｈ３など、受け部４２の周縁部のいずれの箇所に例えば局所的に水の力が作用した場合にも、受け部４２の位置が変わることを規制するよう、当接部４５Ｃの位置や形状が選定される。
【００３３】
本実施形態に係る脚部４５は、図４（Ｂ）に示すように、二つの弧状の当接部４５Ｃを備え、これらの当接部４５Ｃはシンク左側からシンク右側へ向けて延び所定の距離を置いた位置で対向するように設けられ、Ｘ軸を含む仮想鉛直面に対称に形成されている。シンク手前側の当接部４５Ｃは第３象限から第４象限に亘った内周壁面２３、具体的には図４（Ｂ）に示すように２つの象限に属する内周壁面２３の半分程度に当たり、同様に、シンク奥側の当接部４５Ｃも第１象限から第２象限に亘った内周壁面２３の半分程度に当たっている。
【００３４】
ストレーナ４０をシンク１０の凹部１２に収容するとき、脚部４５を排水口２１の内周壁面２３に差し込むと共に、受け部４２に設けられた鍔部４４を凹部１２との間に隙間が生じないよう曲面１５に当てる。このように装着することで、受け部４２がシンク１０の凹部１２内に位置決めされる。ストレーナ４０が排水口２１の上に設置された状態で、受け部４２の最下点が排水口２１の中心上方に位置するように配置される。
【００３５】
本実施形態に係るストレーナ４０によれば、例えば洗い桶に溜めた水を一度に流したときの水の勢いで受け部４２が所定の位置からずれることを抑制できる。
例えば、蓋５０を装着した状態で流入部７０に水が流れ込んで受け部４２のシンク奥側の上縁部分４１０（図３（Ｂ）で破線の楕円で囲った部分参照）が下がり、さらに受け部４２のシンク手前側の上縁部分４２０（図３（Ｂ）で破線の楕円で囲った部分参照）が持ち上がろうとした場合には、脚部４５を構成する一対の当接部４５Ｃの内、シンク手前側の当接部４５Ｃが排水口２１の内周壁面２３に当たることで、受け部４２の適正な使用位置からの大きなずれを規制する。
これとは逆に、蓋５０を外した状態で例えば図５に示す領域Ｈ２に集中して水が流れ込んで受け部４２のシンク手前側の上縁部分４２０（図３（Ｂ）で破線の楕円で囲った部分参照）が下がり、さらに受け部４２のシンク奥側の上縁部分４１０（図３（Ｂ）で破線の楕円で囲った部分参照）が持ち上がろうとした場合には、脚部４５を構成する一対の当接部４５Ｃの内、シンク奥側の当接部４５Ｃが排水口２１の内周壁面２３に当たることで、受け部４２の適正な使用位置からの大きなずれを規制する。
また、蓋５０を外した状態で例えば図５に示す領域Ｈ１に集中して水が流れ込んで受け部４２のシンク左側の上縁部分４３０（図３（Ｂ）で破線の楕円で囲った部分参照）が下がり、さらに受け部４２のシンク右側の上縁部分４４０（図３（Ｂ）で破線の楕円で囲った部分参照）が持ち上がろうとした場合には、脚部４５を構成する一対の当接部４５Ｃのシンク右側の各端が排水口２１の内周壁面２３に当たることで、受け部４２が適正な使用位置から大きくずれることを規制する。これとは逆に、蓋５０を外した状態で例えば図５に示す領域Ｈ３に集中して水が流れ込んで受け部４２のシンク右側の上縁部分４４０（図３（Ｂ）で破線の楕円で囲った部分参照）が下がり、さらに受け部４２のシンク左側の上縁部分４３０（図３（Ｂ）で破線の楕円で囲った部分参照）が持ち上がろうとした場合には、脚部４５を構成する一対の当接部４５Ｃのシンク左側の各端が排水口２１の内周壁面２３に当たることで、受け部４２が適正な使用位置から大きくずれることを規制する。
このように本発明の実施形態に係るストレーナ４０によれば、シンク１０の凹部１２に流れ込む水の勢いによって、受け部４２が動こうとすると、受け部４２の下面に設けられた脚部４５が排水口内壁２３に当接し、脚部４５の水平方向への移動が阻止される。すなわち、脚部４５が排水口内周壁面２３に当接することで、受け部４２の動きが制限される。受け部４２の動きを制限することで、受け部４２の周囲、つまりＤ字型（環状）の上縁の周りの領域に、ゴミが流れ込んでしまう隙間の発生を防止できる。これにより、受け部４２とシンク１０の凹部１２との間に生じる隙間から残飯などのゴミが排水口２１へ流れ込むことを防止できる。
【００３６】
次に、本発明の実施形態の変形例について説明する。
図６（Ａ）〜（Ｋ）は本発明の実施形態のストレーナの脚部の変形例を示す図である。特に、図１〜図４に示すストレーナの脚部と図６（Ａ）〜（Ｋ）の変形例とを比較すると、当接部の形状が異なる。なお、図６（Ａ）〜（Ｋ）は各脚部の当接部が排水口内に配置された状態を示している。図中の二点鎖線は排水口２１の内周壁面２３を表している。
以下、各脚部の当接部の具体的構造について説明する。
【００３７】
図６（Ａ）に示す当接部４５１は円形に形成されている。この当接部４５１を成す円の外形は、内周壁面２３より若干小さめに形成される。この環状の当接部４５１によれば、受け部４２を確実に一定の位置に維持することができる。この当接部４５１は、図１〜図４に示すストレーナ４０と同様に、受け部４２の底面に設けられた取付部４５Ａに図示省略する鉛直部４５Ｂを介してつながっている。以下の他の当接部も同様である。
【００３８】
図６（Ｂ）に示す当接部４５２は円形の一部を切り欠いたＣ字型の環状に形成されている。具体的には、当接部４５２は図６（Ａ）に示す真円形の当接部４５１の一部分を備えずに形成されている。
【００３９】
図６（Ｃ）に示す構成では、二つの弧状の当接部４５３Ａ，４５３Ｂを備え、これらの当接部４５３Ａ，４５３Ｂはシンク手前側からシンク奥側へ向けて延び所定の距離を置いた位置で対向するように設けられ、Ｙ軸を含む仮想鉛直面に対称に形成されている。
【００４０】
図６（Ｄ）に示す構成では、二つの弧状の当接部４５４Ａ，４５４Ｂを備え、これらの当接部４５４Ａ，４５４Ｂはシンク手前側からシンク奥側へ向けて延び所定の距離を置いた位置で対向するように設けられ、Ｙ軸を含む仮想鉛直面に対称に形成されている。左右の当接部４５４Ａ，４５４Ｂにおいて、シンク奥側の端部同士の間隔Ｄ１がシンク手前側の端部同士の間隔Ｄ２よりも狭くなっているため、装着時に幅の狭い端部側を排水口２１内へ差し込み易い。
【００４１】
図６（Ｅ）に示す構成では、二箇所の弧状の当接部４５５Ａ，４５５Ｂとこれらの当接部４５５Ａ，４５５Ｂの一端部をつなぐ連結部４５５Ｃとを備え、二つの当接部はシンク手前側からシンク奥側へ向けて延び所定の距離を置いた位置で対向するように設けられ、Ｙ軸を含む仮想鉛直面に対称に形成されている。連結部４５５Ｃは、内周壁面２３に接触しないように配置される。
【００４２】
図６（Ｆ）に示す構成では、二箇所の弧状の当接部４５６Ａ，４５６Ｂとこれらの当接部４５６Ａ，４５６Ｂの一端部をつなぐ連結部４５６Ｃとを備える。当接部４５６Ａと４５６Ｂは排水口中心Ｃを基準点として点対称に形成される。連結部４５６Ｃは、当接部４５６Ａの端部と、当接部４５６Ａの端部と排水口中心Ｃに点対称に位置する４５６Ｂの端部を連結するよう形成される。
【００４３】
図６（Ｇ）に示す構成では、内周壁面２３に点接触或いは線接触する４つの当接部４５７Ａ〜４５７Ｄを備えている。このように当接部４５７Ａ〜４５７Ｄ同士を分離配置する構造では、脚部４５を構成する材料の使用量を低減できる。
【００４４】
図６（Ｈ）に示す構成では、内周壁面２３に点接触或いは線接触する４つの当接部４５８Ａ〜４５８Ｄと、各当接部４５８Ａ〜４５８Ｄを連結する連結部４５８Ｅ〜４５８Ｇと、を備えている。この連結部４５８Ｅ〜４５８Ｇは、内周壁面２３に接触しないように配置される。このように当接部４５８Ａ〜４５８Ｄ同士を連結部４５８Ｅ〜４５８Ｇで固定することで、図６（Ｆ）に示す構成に比べて脚部４５の剛性を高めることができる。
【００４５】
このように、図６（Ａ）〜図６（Ｈ）に示す当接部も、図１〜図４に示すストレーナ４０の当接部４５Ｃと同様に、排水口２１の中心Ｃまわりに９０度間隔に領域を４つに区分した場合、脚部４５が各領域、つまり第１象限〜第４象限で排水口２１の内周壁面２３に当たるように構成されている。
【００４６】
このように、排水口２１の中心Ｃまわりに９０度間隔に領域を４つに区分する代わりに、３つの領域に区分して脚部４５が各領域で内周壁面２３に当たるように構成する場合、製造コストの低減が期待できる。
【００４７】
例えば、図６（Ｉ）に示す構成では、内周壁面２３に点接触或いは線接触する３つの当接部４５９Ａ〜４５９Ｃを備えている。この構成は、図６（Ｇ）の構成に比べて、さらに脚部４５を構成する材料の使用量を低減できる。
【００４８】
図６（Ｊ）に示す構成では、内周壁面２３に点接触或いは線接触する３箇所の当接部４６０Ａ〜４６０Ｃと、各当接部４６０Ａ〜４６０Ｃを連結する連結部４６０Ｄ，４６０Ｅと、を備えている。連結部４６０Ｄ，４６０Ｅは、内周壁面２３に接触しないように配置される。このように当接部４６０Ａ〜４６０Ｃ同士を連結部４６０Ｄ，４６０Ｅで固定することで、図６（Ｉ）に示す構成に比べて脚部４５の剛性を高めることができる。
【００４９】
図６（Ｋ）に示す構成では、一つの弧状の第１当接部４６１Ａと、内周壁面２３に点接触或いは線接触する１つの第２当接部４６１Ｂと、から構成されている。シンク奥側の第２当接部４６１Ｂが平面視で点状に配置されるため、装着時に第２当接部４６１Ｂ側を排水口２１内へ差し込み易い。
【００５０】
以上説明したが、本発明は、その主旨を逸脱しない範囲内において様々な形態で実施することができる。
【００５１】
例えば、ストレーナの寸法や収容容量は適宜設定することができる。また、受け部には、薄いステンレスの板に複数の穴を穿設したパンチングメタルの代わりに、金網を利用することもできる。また、穴は受け部の一部のみに設けられていてもよい。ストレーナの素材はステンレスなどの金属に限らず、ポリプロピレンなどの樹脂材料で構成されてもよい。また、フッ素やフッ素含有樹脂等で撥水処理をしてもよい。
上記説明では、上部外縁部としての鍔部を受け部と別部材に構成した場合を説明したが、鍔部のような上部外縁部は受け部の周縁として同じ材料で一体に構成してもよい。
【００５２】
また、上記説明ではシンクの排水構造用のストレーナを説明したが、本発明は、洗面所の洗面ボウルの排水構造で髪などを捕集するストレーナとして利用することができることは勿論である。
【符号の説明】
【００５３】
１      排水構造
１０    シンク
１１    シンクの底部
１２    シンクの凹部
１３    シンクの開口
１５    凹部の曲面
１６    境界部
１７    フランジ当接部
２０    排水管
２１    排水口
２２    排水管のフランジ
２３    排水口の内周壁面
２５    固定部材
３０    目皿
４０    ストレーナ
４１    受け部の穴
４２    受け部
４３    受け部の周縁部
４４    鍔部
４４Ａ  把手
４５    脚部
４５Ａ  取付部
４５Ｂ  鉛直部
４５Ｃ，４５１〜４６１Ｂ  当接部
５０    蓋
６０    パッキン
７０    流入部
【図１】
0005738160.tif 000002
【図２】
0005738160.tif 000003
【図３】
0005738160.tif 000004
【図４】
0005738160.tif 000005
【図５】
0005738160.tif 000006
【図６】
0005738160.tif 000007
【図７】
0005738160.tif 000008